(57)【特許請求の範囲】
【請求項１】
行動を共にする２以上のユーザを特定する特定部と、
前記特定部によって特定された前記２以上のユーザのそれぞれの複数の興味関心対象の中から、前記２以上のユーザ間で互いに異なる興味関心対象を組み合わせ、当該組み合わせた複数の興味関心対象に応じた情報として前記２以上のユーザが共に一部に興味関心を有する情報を前記２以上のユーザのうち少なくとも１以上のユーザへ提供する提供部と、を備える
ことを特徴とする情報提供装置。
【請求項２】
前記特定部によって特定された前記２以上のユーザのそれぞれの複数の興味関心対象を示す情報を取得する取得部と、
前記２以上のユーザのそれぞれの複数の興味関心対象の中から、前記２以上のユーザ間で互いに異なる興味関心対象を組み合わせ、当該組み合わせた複数の興味関心対象に基づいて、複数の情報の中から前記情報を選択する選択部と、を備え、
前記提供部は、
前記選択部によって選択された前記情報を前記２以上のユーザのうち少なくとも１以上のユーザへ提供する
ことを特徴とする請求項１に記載の情報提供装置。
【請求項３】
行動を共にする２以上のユーザを特定する特定部と、
前記特定部によって特定された前記２以上のユーザの属性および／または行動特性を示す情報を取得する取得部と、
前記２以上のユーザの属性および／または行動特性の組み合わせに基づいて、複数の情報の中から前記情報を選択する選択部と、
前記選択部によって選択された前記情報を前記２以上のユーザのうち少なくとも１以上のユーザへ提供する提供部と、を備え、
前記選択部は、
前記２以上のユーザの属性および／または行動特性の組み合わせのうち、親和性の高い属性および／または行動特性の組み合わせに基づいて前記情報を選択する
ことを特徴とする情報提供装置。
【請求項４】
行動を共にする２以上のユーザを特定する特定部と、
前記特定部によって特定された前記２以上のユーザの属性および／または行動特性を示す情報を取得する取得部と、
前記２以上のユーザの属性および／または行動特性の組み合わせに基づいて、複数の情報の中から前記情報を選択する選択部と、
前記選択部によって選択された前記情報を前記２以上のユーザのうち少なくとも１以上のユーザへ提供する提供部と、を備え、
前記選択部は、
前記２以上のユーザの属性および／または行動特性の組み合わせのうち、排他的な関係にある属性および／または行動特性の組み合わせを除く組み合わせに基づいて、前記複数の情報の中から前記少なくとも１以上のユーザへ提供する情報を選択する
ことを特徴とする情報提供装置。
【請求項５】
前記取得部は、
前記２以上のユーザの属性として、デモグラフィック属性およびサイコグラフィック属性のうち少なくとも１以上の属性を示す情報を取得し、
前記選択部は、
前記２以上のユーザの属性の組み合わせとして前記デモグラフィック属性および前記サイコグラフィック属性のうち少なくとも１以上の属性の組み合わせに基づいて、前記複数の情報の中から前記少なくとも１以上のユーザへ提供する情報を選択する
ことを特徴とする請求項３または４に記載の情報提供装置。
【請求項６】
前記特定部は、
複数のユーザがそれぞれ有する無線端末で受信される無線信号に基づいて、前記複数のユーザの中から行動を共にする前記２以上のユーザを特定する
ことを特徴とする請求項１〜５のいずれか一つに記載の情報提供装置。
【請求項７】
前記特定部は、
前記２以上のユーザがそれぞれ有する無線端末間で無線信号が所定時間以上送受信される場合に、前記２以上のユーザが行動を共にしていると判定する
ことを特徴とする請求項６に記載の情報提供装置。
【請求項８】
前記特定部は、
前記２以上のユーザがそれぞれ有する無線端末が同一の無線通信手段からの無線信号を所定時間以上受信している場合に、前記２以上のユーザが行動を共にしていると判定する
ことを特徴とする請求項６または７に記載の情報提供装置。
【請求項９】
前記特定部は、
前記ユーザの無線端末によって検出された地磁気データに基づいて特定された前記ユーザの位置から、行動を共にする２以上のユーザを特定する
ことを特徴とする請求項１〜５のいずれか一つに記載の情報提供装置。
【請求項１０】
前記提供部によって提供される前記情報として１以上の広告情報を１以上の広告主から取得する広告情報取得部と、
前記広告情報が前記提供部によって前記少なくとも１以上のユーザに提供された場合に、前記広告情報が提供された前記少なくとも１以上のユーザによる前記広告情報に対する反応に応じて当該広告情報の広告効果を判定する広告効果判定部と、を備える
ことを特徴とする請求項１〜９のいずれか一つに記載の情報提供装置。
【請求項１１】
行動を共にする２以上のユーザを特定する特定手順と、
ユーザの興味関心対象を示す情報を記憶する記憶部から、前記特定手順によって特定された前記２以上のユーザのそれぞれの複数の興味関心対象を示す情報を取得する取得手順と、
前記２以上のユーザのそれぞれの複数の興味関心対象の中から、前記２以上のユーザ間で互いに異なる興味関心対象を組み合わせ、当該組み合わせた複数の興味関心対象に応じた情報として前記２以上のユーザが共に一部に興味関心を有する情報を前記２以上のユーザのうち少なくとも１以上のユーザへ提供する提供手順と、
をコンピュータに実行させることを特徴とする情報提供プログラム。 
【請求項１２】
行動を共にする２以上のユーザを特定する特定手順と、
ユーザの属性および／または行動特性を示す情報を記憶する記憶部から、前記特定手順によって特定された前記２以上のユーザの属性および／または行動特性を示す情報を取得する取得手順と、
前記２以上のユーザの属性および／または行動特性の組み合わせに基づいて、複数の情報の中から前記情報を選択する選択手順と、
前記選択手順によって選択された前記情報を前記２以上のユーザのうち少なくとも１以上のユーザへ提供する提供手順と、をコンピュータに実行させ、
前記選択手順は、
前記２以上のユーザの属性および／または行動特性の組み合わせのうち、親和性の高い属性および／または行動特性の組み合わせに基づいて前記情報を選択する
ことを特徴とする情報提供プログラム。
【請求項１３】
行動を共にする２以上のユーザを特定する特定手順と、
ユーザの属性および／または行動特性を示す情報を記憶する記憶部から、前記特定手順によって特定された前記２以上のユーザの属性および／または行動特性を示す情報を取得する取得手順と、
前記２以上のユーザの属性および／または行動特性の組み合わせに基づいて、複数の情報の中から前記情報を選択する選択手順と、
前記選択手順によって選択された前記情報を前記２以上のユーザのうち少なくとも１以上のユーザへ提供する提供手順と、をコンピュータに実行させ、
前記選択手順は、
前記２以上のユーザの属性および／または行動特性の組み合わせのうち、排他的な関係にある属性および／または行動特性の組み合わせを除く組み合わせに基づいて、前記複数の情報の中から前記少なくとも１以上のユーザへ提供する情報を選択する
ことを特徴とする情報提供プログラム。
【請求項１４】
コンピュータが、
行動を共にする２以上のユーザを特定する特定工程と、
ユーザの興味関心対象を記憶する記憶部から、前記特定工程によって特定された前記２以上のユーザのそれぞれの複数の興味関心対象を示す情報を取得する取得工程と、
前記特定工程によって特定された前記２以上のユーザのそれぞれの複数の興味関心対象の中から、前記２以上のユーザ間で互いに異なる興味関心対象を組み合わせ、当該組み合わせた複数の興味関心対象に応じた情報として前記２以上のユーザが共に一部に興味関心を有する情報を前記２以上のユーザのうち少なくとも１以上のユーザへ提供する提供工程と、
を実行することを特徴とする情報提供方法。
【請求項１５】
コンピュータが、
行動を共にする２以上のユーザを特定する特定工程と、
ユーザの属性および／または行動特性を示す情報を記憶する記憶部から、前記特定工程によって特定された前記２以上のユーザの属性および／または行動特性を示す情報を取得する取得工程と、
前記２以上のユーザの属性および／または行動特性の組み合わせに基づいて、複数の情報の中から前記情報を選択する選択工程と、
前記選択工程によって選択された前記情報を前記２以上のユーザのうち少なくとも１以上のユーザへ提供する提供工程と、を実行し、
前記選択工程は、
前記２以上のユーザの属性および／または行動特性の組み合わせのうち、親和性の高い属性および／または行動特性の組み合わせに基づいて前記情報を選択する
ことを特徴とする情報提供方法。
【請求項１６】
コンピュータが、
行動を共にする２以上のユーザを特定する特定工程と、
ユーザの属性および／または行動特性を示す情報を記憶する記憶部から、前記特定工程によって特定された前記２以上のユーザの属性および／または行動特性を示す情報を取得する取得工程と、
前記２以上のユーザの属性および／または行動特性の組み合わせに基づいて、複数の情報の中から前記情報を選択する選択工程と、
前記選択工程によって選択された前記情報を前記２以上のユーザのうち少なくとも１以上のユーザへ提供する提供工程と、を実行し、
前記選択工程は、
前記２以上のユーザの属性および／または行動特性の組み合わせのうち、排他的な関係にある属性および／または行動特性の組み合わせを除く組み合わせに基づいて、前記複数の情報の中から前記少なくとも１以上のユーザへ提供する情報を選択する
ことを特徴とする情報提供方法。
【発明の詳細な説明】
【技術分野】
【０００１】
本発明は、情報提供装置、情報提供プログラムおよび情報提供方法に関する。
【背景技術】
【０００２】
近年、通信ネットワークの飛躍的な普及に伴い、通信ネットワークを介した情報提供が盛んに行われており、かかる情報提供の技術として、複数の人物の属するグループ属性に応じた情報提供を行う技術が提案されている。
【０００３】
例えば、監視カメラなどで撮像された複数の人物の顔画像の特徴量に基づいて各人物の属性（男女の区別や年齢）を判定し、各人物の属性と人物の数とから複数の人物の属するグループ属性を決定し、決定したグループ属性に応じた情報を提供する情報提供装置が提案されている（例えば、特許文献１参照）。
【先行技術文献】
【特許文献】
【０００４】
【特許文献１】特開２００４−２２７１５８号公報
【発明の概要】
【発明が解決しようとする課題】
【０００５】
しかしながら、従来の情報提供装置では、複数の人物の属するグループ属性に応じた一律的な情報を提供するに留まるものである。
【０００６】
本願は、上記に鑑みてなされたものであって、ユーザへ情報を効果的に提供することができる情報提供装置、情報提供プログラムおよび情報提供方法を提供することを目的とする。
【課題を解決するための手段】
【０００７】
本願に係る情報提供装置は、特定部と、提供部とを備える。前記特定部は、行動を共にする２以上のユーザを特定する。前提供部は、前記特定部によって特定された前記２以上のユーザの属性および／または行動特性の組み合わせに応じた情報を前記２以上のユーザのうち少なくとも１以上のユーザへ提供する。
【発明の効果】
【０００８】
実施形態の一態様によれば、ユーザへ情報を効果的に提供することができる情報提供装置、情報提供プログラムおよび情報提供方法を提供することができる。
【図面の簡単な説明】
【０００９】
【図１】図１は、実施形態に係る情報提供方法の説明図である。
【図２】図２は、実施形態に係る情報提供システムの構成例を示す図である。
【図３】図３は、無線端末の構成例を示す図である。
【図４】図４は、情報提供装置の構成例を示す図である。
【図５】図５は、ユーザ情報テーブルの一例を示す図である。
【図６】図６は、コンテンツテーブルの一例を示す図である。
【図７】図７は、提供部から無線端末に送信され、無線端末の表示画面に表示されるコンテンツの一例を示す図である。
【図８】図８は、情報提供装置における情報処理の一例を示すフローチャートである。
【図９】図９は、情報提供装置等の機能を実現するコンピュータの一例を示すハードウェア構成図である。
【発明を実施するための形態】
【００１０】
以下に、本願に係る情報提供装置、情報提供プログラムおよび情報提供方法の実施形態について図面を参照しつつ詳細に説明する。なお、この実施形態により本願に係る情報提供装置、情報提供プログラムおよび情報提供方法が限定されるものではない。
【００１１】
［１．情報提供方法］
図１は、実施形態に係る情報提供方法の説明図であり、本実施形態においては情報提供システム１００の情報提供装置１により情報提供方法が実行される。
【００１２】
図１に示すように、情報提供システム１００は、例えば、情報提供装置１と、ユーザＵ１〜Ｕｎがそれぞれ有する無線端末２１〜２ｎとを備える。なお、以下においては、ユーザＵ１、Ｕ２が共に行動しているものとする。
【００１３】
情報提供装置１は、ユーザＵ１〜Ｕｎ（以下、ユーザＵと総称する場合がある）のうち、行動を共にするユーザＵ１、Ｕ２を特定する。行動を共にしているか否かは、例えば、無線端末２１〜２ｎから通知される情報に基づいて判定することができる。
【００１４】
無線端末２１〜２ｎ（以下、無線端末２と総称する場合がある）は、例えば、Ｂｌｕｅｔｏｏｔｈ（登録商標）などの近距離通信（Near  Field  Communication）を行う無線通信部を備える。なお、近距離通信として、例えば、赤外線通信、可視光通信、音波などを用いることもできる。
【００１５】
情報提供装置１は、無線端末２１〜２ｎにおいて、近距離通信によって受信される無線信号に基づいて、行動を共にするユーザＵ１、Ｕ２を特定することができる。例えば、情報提供装置１は、無線端末２間で無線信号が所定時間以上送受信される場合に、無線信号が所定時間以上送受信されている２以上の無線端末２のユーザＵを、行動を共にするユーザＵとして特定することができる。
【００１６】
また、近距離通信を行う無線通信装置を多数の地点に設け、かかる無線通信装置からの無線信号の無線端末２による受信状態に基づいて行動を共にするユーザＵを特定することができる。例えば、情報提供装置１は、同一の無線通信装置からの無線信号を所定時間以上受信している２以上の無線端末２のユーザＵを、行動を共にするユーザＵとして特定することができる。
【００１７】
情報提供装置１は、行動を共にする２以上のユーザＵを特定した場合、かかる２以上のユーザＵの属性を示す情報（以下、属性情報と記載する場合がある）や行動特性を示す情報（以下、行動履歴情報と記載する場合がある）を例えばユーザ情報データベースなどから取得する。ユーザＵの属性は、例えば、ユーザＵの年齢、性別、興味関心などである。また、ユーザＵの行動特性は、例えば、「家電量販店によく行く」、「高速道路をよく使う」、「よく通る経路」、「雨の日には屋外に行かない」などのユーザＵの実空間での行動特性であり、ユーザＵの行動履歴から判定される。
【００１８】
情報提供装置１は、行動を共にする２以上のユーザＵの属性および／または行動特性を組み合わせる。例えば、図１に示す例では、ユーザＵ１の興味関心は、ＡＢＣ遊園地を含み、ユーザＵ２の興味関心は、映画を含む。すわなち、ユーザＵ１は、ＡＢＣ遊園地が好きであり、ユーザＵ２は、映画が好きである。
【００１９】
そこで、情報提供装置１は、例えば、ユーザＵ１が興味関心を有する「ＡＢＣ遊園地」とユーザＵ２が興味関心を有する「映画」を組み合わせ、「映画」と「ＡＢＣ遊園地」とに関連する情報を選択し、選択した情報をユーザＵ１、Ｕ２のいずれかまたは両方へ提供する。
【００２０】
例えば、ＡＢＣ遊園地の運営会社がＡＢＣ遊園地のキャラクターが登場する映画（以下、ＡＢＣ映画と記載する）も作成している場合、「ＡＢＣ映画」は、「映画」と「ＡＢＣ遊園地」とに関連する。情報提供装置１は、「ＡＢＣ映画」の情報として、例えば、ＡＢＣ映画の予告編の動画、ＡＢＣ映画を公開している映画館の情報、ＡＢＣ映画のクーポンの情報などを取得し、ユーザＵへ提供する。
【００２１】
ユーザＵ１、Ｕ２は、共に一部に興味関心を含む情報を取得し、かかる情報に基づいて行動することが可能となる。例えば、予告編の動画、映画館の情報やクーポンの情報に基づき、ユーザＵ１、Ｕ２によるＡＢＣ映画の鑑賞を促進することができ、また、ユーザＵ１、Ｕ２は、ＡＢＣ映画を話題にすることで、話のきっかけを作ることができる。
【００２２】
さらに、情報提供装置１は、例えば、ＡＢＣ映画を上映している映画館の情報のうち、ユーザＵ１、Ｕ２のうちいずれかが「よく通る経路」（行動特性の一例）に近い映画館を絞り混むことによって、ユーザＵ１、Ｕ２に対する映画館への誘導をより効果的に行うこともできる。
【００２３】
このように、情報提供装置１は、行動を共にする２以上のユーザＵの属性および／または行動特性の組み合わせに応じた情報を選択し、ユーザＵへ提供することから、行動を共にする２以上のユーザＵに対して共に一部に興味関心を含む情報を提供することができる。すなわち、情報提供装置１は、行動を共にするユーザＵに対してよりパーソナライズした情報を提供することができ、情報提供を効果的に行うことができる。
【００２４】
なお、情報提供装置１が提供する情報は、上述したように、予告編の動画、映画館の情報およびクーポンの情報などの他、例えば、話題情報（例えば、「ＡＢＣ映画」の文字）などの情報であってもよい。以下においては、情報提供装置１が提供する情報をコンテンツと記載する場合がある。
【００２５】
［２．情報提供システム１００の構成］
図２を用いて、実施形態に係る情報提供システム１００の構成例について説明する。図２は、実施形態に係る情報提供システム１００の構成例を示す図である。
【００２６】
図２に示すように、情報提供システム１００は、情報提供装置１と、無線端末２１〜２ｎと、無線端末３（無線通信手段の一例）と、無線ＬＡＮ（Local  Area  Network）アクセスポイント４１〜４ｎ（以下、無線ＬＡＮアクセスポイント４と記載する場合がある）と、無線ＷＡＮ（Wide  Area  Network）基地局５１〜５ｎ（以下、無線ＷＡＮ基地局５と記載する場合がある）と、広告主端末６とを備える。情報提供装置１、無線端末２、３および広告主端末６は、無線ＬＡＮアクセスポイント４および無線ＷＡＮ基地局５を含む通信ネットワーク７を介して互いに通信可能である。
【００２７】
また、無線端末２１〜２ｎは、ユーザＵ１〜Ｕｎのそれぞれが所持する無線端末であり、無線端末３は、例えば、タクシーや列車などの車両に搭載される無線装置である。無線端末２、３は、例えば、スマートフォンやタブレットなどの携帯型無線端末である。
【００２８】
また、情報提供装置１は、例えば、無線端末２１〜２ｎから送信される情報に基づき、行動を共にする２以上のユーザＵを特定することができる。情報提供装置１は、特定したユーザＵの無線端末２または特定したユーザＵが乗車している車両に搭載された無線端末３に対し、ユーザＵの属性および／または行動特性の組み合わせに基づき、コンテンツを提供する。
【００２９】
例えば、情報提供装置１は、ユーザＵの属性および／または行動特性の組み合わせに基づき、例えば、広告主端末６から送信される広告コンテンツを記憶しており、かかる広告コンテンツを無線端末２や無線端末３へ提供することができる。
【００３０】
以下、情報提供システム１００が行う情報提供処理について、無線端末２および情報提供装置１による情報処理を中心に具体的に説明する。以下、無線端末２、情報提供装置１の順に説明を進める。
【００３１】
［３．無線端末２］
図３は、無線端末２の構成例を示す図である。図３に示すように、無線ＬＡＮ通信部１１ａと、無線ＷＡＮ通信部１１ｂと、近距離無線通信部１３と、表示部１４と、操作部１５と、位置検出部１６と、制御部１７とを備える。
【００３２】
無線ＬＡＮ通信部１１ａは、無線ＬＡＮアクセスポイント４との間で無線信号の送受信を行う。なお、無線ＬＡＮとして、例えば、ＩＥＥＥ８０２．１１によって規定される無線ＬＡＮなどがあるが、かかる規格の無線ＬＡＮに限定されるものではない。
【００３３】
無線ＷＡＮ通信部１１ｂは、無線ＷＡＮ基地局５との間で無線信号の送受信を行う。無線ＷＡＮ基地局５は、例えば、公衆電話通信網の無線基地局や公衆データ通信網の無線基地局である。なお、以下においては、無線ＬＡＮ通信部１１ａおよび無線ＷＡＮ通信部１１ｂを総称して通信部１１と記載する場合がある。
【００３４】
近距離無線通信部１３は、近距離無線通信による無線信号の送受信を行う。かかる近距離無線通信部１３は、例えば、Ｆｅｌｉｃａ、ＩＳＯ／ＩＥＣ１４４４３（ＭＩＦＡＲＥ）、Ｂｌｕｅｔｏｏｔｈ（登録商標）などの通信方式を採用した近距離通信部である。近距離通信は、電波に限定されるものではなく、例えば、赤外線通信、可視光通信、音波などを用いることもできる。
【００３５】
表示部１４は、タッチパネル式のディスプレイである。無線端末２のユーザＵは、表示部１４の画面上を指などで操作することで、表示部１４に表示された画面に対する操作が可能である。かかる表示部１４は、例えば、小型のＬＣＤ（Liquid  Crystal  Display）や有機ＥＬディスプレイである。
【００３６】
操作部１５は、文字、数字およびスペースを入力するためのキー、エンターキーおよび矢印キーなどを含むキーボードや、電源ボタンなどを有する。位置検出部１６は、ＧＰＳ（Global  Positioning  System）受信機能を有し、無線端末２の現在地の情報や移動速度の情報を取得する。現在地の情報は、無線端末２の現在の緯度および経度を示す情報（以下、位置情報と記載する）である。
【００３７】
制御部１７は、表示制御部２１と、情報処理部２２とを備える。表示制御部２１は、表示部１４の表示内容を制御する。例えば、表示制御部２１は、情報処理部２２によって通信ネットワーク７を介して取得される情報に基づく表示画面を表示部１４に表示したり、操作部１５による入力操作に応じた表示画面を表示部１４に表示したりすることができる。
【００３８】
情報処理部２２は、通信部１１を介して情報提供装置１やＷｅｂサーバ（図示せず）などから情報を取得する。また、情報処理部２２は、通信部１１を介して情報提供装置１やＷｅｂサーバへ情報や要求を送信することができる。
【００３９】
例えば、情報処理部２２は、近距離無線通信部１３によって受信される無線信号（以下、受信無線信号と記載する）の電波強度や受信無線信号に含まれる識別子の情報を端末検出情報として通信部１１を介して情報提供装置１へ通知することができる。
【００４０】
受信無線信号に含まれる識別子は、例えば、ＭＡＣアドレス（Media  Access  Control  address）やＵＵＩＤ（Universally  Unique  IDentifier）などであり、以下、端末ＩＤと記載する。
【００４１】
また、情報処理部２２は、近距離無線通信部１３に対し、例えば、周期的に無線信号を送信させることができる。かかる無線信号には、無線端末２毎に異なる端末ＩＤの情報が含まれる。なお、かかる端末ＩＤは例えばビーコンＩＤとも呼ばれることがある。
【００４２】
情報処理部２２は、受信無線信号の電波強度と受信無線信号に含まれる端末ＩＤの情報とを端末検出情報として通信部１１を介して情報提供装置１へ通知することができる。端末検出情報には、情報処理部２２が近距離無線通信部１３から出力させる無線信号に含まれる端末ＩＤ（以下、自端末ＩＤと記載する場合がある）を含む。
【００４３】
また、情報処理部２２は、例えば、同じ他の無線端末２から所定値以上の電波強度で近距離無線通信部１３が所定時間以上受信している無線信号に含まれる端末ＩＤ（以下、他端末ＩＤと記載する場合がある）の情報を端末検出情報として通信部１１を介して情報提供装置１へ通知することができる。
【００４４】
また、情報処理部２２は、位置検出部１６から位置情報を取得し、かかる位置情報を通信部１１から情報提供装置１へ通知することができる。
【００４５】
また、無線端末３は、近距離無線通信部１３と同様の近距離無線通信部を有しており、周期的に無線信号を送信する。無線端末３の制御部は、無線端末２の制御部１７と同様に、他の無線端末２から送信される無線信号を近距離無線通信部が受信した場合、端末検出情報を情報提供装置１へ通知することができる。かかる端末検出情報には、例えば、無線端末２の端末ＩＤ（他端末ＩＤ）、無線端末３の端末ＩＤ（自端末ＩＤ）および電波強度が含まれる。なお、無線端末３は、無線端末２と同様の構成であってもよい。
【００４６】
［４．情報提供装置１］
図４は、情報提供装置１の構成例を示す図である。図４に示すように、通信部３０と、記憶部３１と、制御部３２とを備える。
【００４７】
［４．１．通信部３０］
通信部３０は、ＮＩＣ（Network  Interface  Card）等のインターフェイスである。制御部３２は、通信部３０および通信ネットワーク７を介して、無線端末２、３との間で各種の情報を送受信する。
【００４８】
［４．２．記憶部３１］
記憶部３１は、例えば、ハードディスク、ＲＡＭ（Random  Access  Memory)、フラッシュメモリ等の半導体メモリ素子、光ディスク等の記憶装置である。記憶部３１は、ユーザ情報記憶部４１と、コンテンツ記憶部４２を有する。
【００４９】
ユーザ情報記憶部４１は、例えば、ユーザＵの属性を示す情報（以下、属性情報と記載する場合がある）を含むユーザ情報テーブルを記憶する。図５は、ユーザ情報テーブルの一例を示す図である。図５に示すように、ユーザ情報テーブルには、「端末ＩＤ」、「ユーザＩＤ」、「デモグラフィック属性」および「サイコグラフィック属性」が互いに対応付けられた情報が含まれる。
【００５０】
「端末ＩＤ」は、無線端末２の端末ＩＤである。また、「ユーザＩＤ」は、ユーザＵを識別するための識別子の情報である。なお、図５に示すユーザ情報テーブルでは、便宜上、端末ＩＤを「Ｔ１」、「Ｔ２」、・・・とし、例えば、ユーザＵ１、Ｕ２のユーザＩＤを「Ｕ１」、「Ｕ２」としているが、理解を容易にするために付した情報であり、限定されるものではない。
【００５１】
「デモグラフィック属性」は、人口統計学的なユーザＵの属性情報を示す。かかる「デモグラフィック属性」は、例えば、ユーザＵの「性別」、「年齢」などの属性区分に分類される。「性別」には、ユーザＵの性別が設定され、「年齢」には、ユーザＵの年齢が設定される。なお、「デモグラフィック属性」は、図５に示した属性区分の例に限られず、ユーザＵの職業、勤務先、家族構成、年収、住所、出身地、学歴など様々な属性区分が含まれてもよい。
【００５２】
「サイコグラフィック属性」は、ユーザＵの価値観、ライフスタイル、性格、嗜好などを示す情報である。かかる「サイコグラフィック属性」は、例えば、「映画」、「ＡＢＣ遊園地」、「旅行」、「鉄道」、「洋食」などの属性区分に分類される。図５に示す例では、属性区分毎に、ユーザＵの嗜好が相対的に高い場合に「１」が設定され、それ以外の場合には「０」が設定されるが、ユーザＵが嫌いな場合に「−１」を設定してもよい。また、属性区分毎に、ユーザＵの嗜好の度合いに応じた値が設定されてもよい。
【００５３】
また、「サイコグラフィック属性」は、図５に示した属性区分の例に限られず、経済、政治、野球、サッカー、その他スポーツ、スイーツ、パソコン、白物家電、家具など様々な属性区分が含まれてもよい。
【００５４】
なお、図示していないが、ユーザ情報テーブルには、ユーザＵの属性情報のみならず、ユーザＵの行動履歴や行動特性の情報が設定される。
【００５５】
コンテンツ記憶部４２は、例えば、コンテンツテーブルを記憶する。図６は、コンテンツテーブルの一例を示す図である。図６に示すように、コンテンツテーブルには、「コンテンツＩＤ」、「コンテンツ」および「対応属性」が互いに対応付けられた情報が含まれる。
【００５６】
「コンテンツＩＤ」は、コンテンツの識別子の情報である。また、「コンテンツ」は、ユーザＵへ提供されるコンテンツまたはかかるコンテンツの格納位置を示す情報（以下、リンク情報と記載する場合がある）である。
【００５７】
コンテンツは、例えば、広告コンテンツ（以下、広告情報と記載する場合がある）、ニュース情報などの情報である。広告コンテンツは、例えば、商品に関する情報、サービスに関する情報、および、店舗に関する情報（例えば、場所、営業時間などの情報）などである。商品やサービスに関する情報として、クーポン（割り引き券）の情報などを含む。
【００５８】
「対応属性」は、コンテンツを選択するためのユーザＵの属性の組み合わせを示す情報であり、ユーザ属性の組み合わせのうち、親和性の高いユーザ属性の組み合わせである。
【００５９】
例えば、コンテンツＩＤ「Ｃ１」のコンテンツは、ＡＢＣ映画の予告編の動画であり、かかるコンテンツを選択するためのユーザ属性の組み合わせが、「ＡＢＣ遊園地」と「映画」の組み合わせであることを示す。
【００６０】
また、コンテンツＩＤ「Ｃ４」のコンテンツは、ファミリーレストランのクーポンの情報であり、かかるコンテンツを選択するためのユーザ属性の組み合わせが、「洋食」と「和食」の組み合わせであることを示す。
【００６１】
なお、「対応属性」には、排他的な関係にあるユーザ属性の組み合わせは含まれない。このようにすることで、行動を共にする２以上のユーザＵのグループに対して通知するコンテンツを適切に選択することができる。「排他的な関係」とは、例えば、同時に実行することが難しいユーザ属性の組み合わせや親和性が低い組み合わせである。例えば、「映画」と「ゴルフ」の組み合わせや、「同人誌」と「アウトドア」の組み合わせなどである。
【００６２】
［４．３．制御部３２］
制御部３２は、図４に示すように、特定部５１と、取得部５２と、選択部５３と、提供部５４と、受付部５５（広告情報取得部の一例）と、判定部５６（広告効果判定部の一例）とを備える。制御部３２は、例えば、ＣＰＵ（Central  Processing  Unit）やＭＰＵ（Micro  Processing  Unit）等によって、内部の記憶部に記憶されているプログラムが図示しない内部ＲＡＭを作業領域として実行されることにより、特定部５１、取得部５２、選択部５３、提供部５４、受付部５５および判定部５６の機能が実行される。
【００６３】
［４．３．１．特定部５１］
特定部５１は、無線端末２から送信される端末検出情報に基づいて、行動を共にする２以上のユーザＵを特定する。例えば、特定部５１は、端末検出情報に含まれる電波強度と他端末ＩＤと自端末ＩＤとに基づいて、所定値以上の電波強度で無線信号を所定時間以上受信している場合に、行動を共にする２以上のユーザＵを特定する。
【００６４】
例えば、ユーザＵ１とユーザＵ２とが一緒に歩いている場合、ユーザＵ１の無線端末２１は、ユーザＵ２の無線端末２２からの無線信号を継続して受信し、受信する無線信号の電波強度も所定値以上になる。同様に、無線端末２２は、無線端末２１からの無線信号を継続して受信し、受信する無線信号の電波強度も所定値以上になる。
【００６５】
この場合、無線端末２１からの端末検出情報には、自端末ＩＤ「Ｔ１」、他端末ＩＤ「Ｔ２」および電波強度の情報が含まれ、無線端末２２からの端末検出情報には、自端末ＩＤ「Ｔ２」、他端末ＩＤ「Ｔ１」および電波強度の情報が含まれる。したがって、特定部５１は、無線端末２１、２２のいずれかの端末検出情報または無線端末２１、２２の端末検出情報に基づいて、行動を共にする２以上のユーザＵを特定することができる。
【００６６】
また、無線端末２は、上述したように、所定値以上の電波強度で無線信号を所定時間以上受信している場合に端末検出情報を情報提供装置１へ通知することができ、この場合、特定部５１は、端末検出情報に含まれる自端末ＩＤと他端末ＩＤとに基づき、行動を共にする２以上のユーザＵを特定することができる。例えば、端末検出情報に自端末ＩＤ「Ｔ２」と他端末ＩＤ「Ｔ１」とが含まれている場合、特定部５１は、ユーザＵ１とユーザＵ２とが行動を共にしていると判定することができる。
【００６７】
このように、特定部５１は、２以上のユーザＵがそれぞれ有する無線端末２間で無線信号が所定時間以上送受信される場合に、２以上のユーザＵが行動を共にしていると判定することができる。また、特定部５１は、電波強度を考慮することで、行動を共にするユーザＵを精度よく特定することができる。
【００６８】
また、特定部５１は、同一の無線端末３からの無線信号を同時に所定時間以上受信している２以上の無線端末２のユーザＵを、行動を共にしているユーザＵとして特定することができる。
【００６９】
例えば、特定部５１は、無線端末２１から送信される端末検出情報に自端末ＩＤ「Ｔ１」と他端末ＩＤ「Ｔｘ」とが含まれ、無線端末２２から送信される端末検出情報に自端末ＩＤ「Ｔ２」と他端末ＩＤ「Ｔｘ」とが含まれるとする。「Ｔｘ」は、無線端末３の端末ＩＤである。この場合、特定部５１は、ユーザＵ１とユーザＵ２とが行動を共にしていると判定することができる。
【００７０】
なお、無線端末３は、無線端末２と同様に、端末検出情報を送信することができる。かかる端末検出情報には、無線端末３で同時に受信される１以上の無線信号をそれぞれ送信する１以上の無線端末２の端末ＩＤが他端末ＩＤとして含まれる。この場合、特定部５１は、無線端末３から送信される端末検出情報に基づいて、行動を共にしているユーザＵとして特定することができる。
【００７１】
例えば、特定部５１は、無線端末３から送信される端末検出情報に、自端末ＩＤ「Ｔｘ」と他端末ＩＤ「Ｔ１」、「Ｔ２」とが含まれるとする。この場合、特定部５１は、ユーザＵ１とユーザＵ２とが行動を共にしていると判定することができる。
【００７２】
また、無線端末２が端末検出情報を送信しない場合、特定部５１は、無線端末２から送信される位置情報に基づいて、行動を共にする２以上のユーザＵを特定することができる。例えば、特定部５１は、無線端末２１、２２からの端末検出情報に基づき、無線端末２１と無線端末２２の位置が一定時間以上所定範囲内である場合に、特定部５１は、ユーザＵ１とユーザＵ２とが行動を共にしていると判定することができる。
【００７３】
なお、特定部５１は、位置情報に基づいて、無線端末２１、２２の移動速度が所定以上であると判定した場合、列車やバスなどの公共機関に乗っていると判定し、公共機関に乗っている時間を除外することができる。これにより、行動を共にしているユーザＵを精度よく特定することができる。
【００７４】
［４．３．２．取得部５２］
取得部５２は、特定部５１によって行動を共にするユーザＵとして特定された２以上のユーザＵの属性情報および行動特性情報を取得する。例えば、特定部５１によってユーザＵ１とユーザＵ２とが行動を共にするユーザＵとして特定された場合、取得部５２は、ユーザ情報記憶部４１に記憶されたユーザ情報のうち、ユーザＵ１、Ｕ２の属性情報および行動特性情報を取得する。
【００７５】
なお、取得部５２は、通信ネットワーク７に接続されたＳＮＳ（Social  Networking  Service）サーバからユーザＵのプロフィールなどの情報をユーザＵの属性情報として取得することができる。また、取得部５２は、通信ネットワーク７に接続された検索サーバからユーザＵの検索履歴を取得し、かかる検索履歴からユーザＵの属性を判定して属性情報として取得することができる。
【００７６】
また、取得部５２は、通信ネットワーク８に接続されたＳＮＳサーバや無線端末２、３などから、ユーザＵの行動履歴（移動履歴）の情報を取得してユーザ情報記憶部４１に記憶することができる。なお、ユーザＵの行動履歴の情報には、例えば、ユーザＵが移動した場所や日時の情報を含み、また、ユーザＵの現在位置の情報も含まれる。
【００７７】
例えば、取得部５２は、無線端末２から送信される位置情報に基づいて、ユーザＵの位置に基づくユーザＵの行動履歴の情報をユーザ情報としてユーザ情報記憶部４１に記憶することができる。また、取得部５２は、ＳＮＳサーバへのユーザＵの書き込みからユーザＵが行った場所や時間を判定し、ユーザＵの行動履歴の情報としてユーザ情報記憶部４１に記憶することができる。また、取得部５２は、ユーザＵの行動履歴に基づいて、ユーザＵの行動特性を判定し、かかるユーザＵの行動特性を示す情報をユーザ情報記憶部４１に記憶することができる。
【００７８】
［４．３．３．選択部５３］
選択部５３は、取得部５２によって取得された属性情報に基づき、行動を共にするとして特定された２以上のユーザＵの属性の組み合わせに基づいて、コンテンツ記憶部４２に記憶された複数のコンテンツの中から提供するコンテンツを選択する。
【００７９】
選択部５３は、例えば、取得部５２によって取得された属性情報に基づき、２以上のユーザＵの属性の組み合わせのうち、コンテンツ記憶部４２に記憶されたコンテンツテーブルに設定された対応属性と一致する組み合わせを判定する。選択部５３は、行動を共にするとして特定された２以上のユーザＵの属性の組み合わせと一致する対応属性に対応するコンテンツを選択する。
【００８０】
例えば、ユーザ情報記憶部４１に図５に示すユーザ情報テーブルが記憶され、かつ、コンテンツ記憶部４２に図６に示すコンテンツテーブルが記憶されているとする。そして、特定部５１によってユーザＵ１とユーザＵ２とが行動を共にしていると判定されたとする。この場合、ユーザＵ１の属性として「ＡＢＣ遊園地」が含まれ、ユーザＵ２の属性として「映画」が含まれている。選択部５３は、例えば、「ＡＢＣ遊園地」と「映画」との組み合わせに対応属性が対応するコンテンツＩＤ「Ｃ１」、「Ｃ２」のいずれかのコンテンツを選択することができる。
【００８１】
また、特定部５１によってユーザＵ５とユーザＵ６とが行動を共にしていると判定されたとする。この場合、ユーザＵ５の属性として「旅行」が含まれ、ユーザＵ６の属性として「鉄道」が含まれている。選択部５３は、例えば、「旅行」と「鉄道」との組み合わせに対応属性が対応するコンテンツＩＤ「Ｃ３」の「鉄道旅行の広告情報」を選択することができる。
【００８２】
また、選択部５３は、行動を共にするとして特定された２以上のユーザＵの属性の組み合わせに、「洋食」と「和食」の組み合わせが含まれる場合、選択部５３は、例えば、コンテンツＩＤ「Ｃ４」の「ファミリーレストランのクーポン」を選択することができる。
【００８３】
また、選択部５３は、行動を共にするとして特定された２以上のユーザＵの属性の組み合わせに、「歌手Ａ」と「ドラマＢ」の組み合わせが含まれる場合、選択部５３は、例えば、コンテンツＩＤ「Ｃ５」の「ドラマＢの主題歌（歌手Ａの歌）」を選択することができる。
【００８４】
また、選択部５３は、行動を共にするとして特定された２以上のユーザＵの属性の組み合わせに、「ダンス」と「酒」の組み合わせが含まれ、かつ、行動を共にするユーザＵが共に２０代である場合、選択部５３は、例えば、コンテンツＩＤ「Ｃ６」の「クラブのクーポン」を選択することができる。
【００８５】
なお、ユーザＵの属性の組み合わせとして種々の属性の組み合わせを対応属性とすることができ、上記例に限定されるものではない。例えば、ユーザＵの勤務先に関する商品やサービスの広告を提供するコンテンツとし、かかるコンテンツの広告対象として「商品および／またはサービス」と「勤務先」との組み合わせを対応属性とすることができる。
【００８６】
例えば、「Ａ会社が生産するメロンパンの広告（以下、コンテンツＣ１０と記載する）」を提供するコンテンツとした場合、「Ａ会社」に勤務する第１ユーザと、「メロンパン」が好きな第２ユーザとが共に行動していれば、選択部５３は、コンテンツＣ１０を選択することができる。
【００８７】
また、例えば、「刑事事件をテーマにしたテレビドラマの宣伝広告（以下、コンテンツＣ１１と記載する）」をコンテンツとした場合、「警察」に勤務する第１ユーザと、「テレビドラマ」が好きな第２ユーザとが共に行動していれば、選択部５３は、コンテンツＣ１１を選択することができる。
【００８８】
また、複数の地域に関わる商品やサービスの情報を提供するコンテンツとし、かかる複数の地域の組み合わせを対応属性とすることができ、選択部５３は、行動を共にする２以上のユーザＵの出身地の組み合わせに基づいてコンテンツを選択することができる。
【００８９】
また、３以上のユーザＵが共に行動している場合、選択部５３は、３以上のユーザＵの属性の組み合わせに対応するコンテンツを選択することができる。例えば、選択部５３は、３以上のユーザＵの異なる属性の組み合わせに対応するコンテンツを選択することができる。また、選択部５３は、３以上のユーザＵのうち第１グループのユーザＵに共通する属性と第２グループのユーザＵに共通する属性の組み合わせに対応するコンテンツを選択することができる。
【００９０】
上述した例では、選択部５３は、コンテンツ記憶部４２に記憶された複数のコンテンツの中から対応属性に基づいてコンテンツを選択するが、例えば、選択部５３は、通信部３０を介して外部サーバからコンテンツを選択することもできる。
【００９１】
また、記憶部３１は、ユーザ属性の組み合わせと優先度とを関連付けた情報を記憶することもできる。この場合、選択部５３は、行動を共にするとして特定された２以上のユーザＵの属性の組み合わせのうち、優先度が高い属性の組み合わせに対応するコンテンツを選択することもできる。この場合、親和性が高いほど優先度を高くすることによって、親和性が高い属性の組み合わせに応じたコンテンツを選択することができる。
【００９２】
また、記憶部３１は、排他的な関係にある属性の組み合わせが設定された排他テーブルを記憶することもできる。この場合、選択部５３は、排他テーブルに基づき、行動を共にするとして特定された２以上のユーザＵの属性の組み合わせのうち、排他的な関係にある属性の組み合わせを除く組み合わせに基づいて、コンテンツを選択することができる。これにより、行動を共にする２以上のユーザＵに対して通知するコンテンツを適切に選択することができる。
【００９３】
また、例えば、ユーザＵの属性として「嫌い」であるという情報がある場合、選択部５３は、行動を共にするとして特定された２以上のユーザＵの属性の組み合わせのうち、「嫌い」という属性が含まれる組み合わせを除外した組み合わせによってコンテンツを選択することができる。
【００９４】
なお、選択部５３は、行動を共にするとして特定された２以上のユーザＵの属性の組み合わせに対応するコンテンツが複数ある場合、時間、場所、行動パターンおよびユーザＵ同士の関係の少なくとも一つに基づいて、コンテンツを選択することができる。
【００９５】
例えば、選択部５３は、行動を共にするとして特定された２以上のユーザＵの属性の組み合わせに対応するコンテンツのうち、現在の時間帯および一緒にいる時間の長さの少なくとも一つに基づいて、コンテンツを選択することができる。この場合、ユーザＵの属性の組み合わせと時間帯や一緒にいる時間の長さを対応付けた情報を記憶しておき、かかる情報に基づき、選択部５３は、ユーザＵの属性の組み合わせを決定し、コンテンツを選択することができる。
【００９６】
例えば、行動を共にすると判定された２以上のユーザＵが無線端末２を操作してウェブページを参照している場合、選択部５３は、ユーザＵが参照しているウェブページの内容に基づいて、コンテンツを選択することができる。
【００９７】
なお、選択部５３は、行動を共にすると判定されたすべてのユーザＵの属性を組み合わせることもでき、また、行動を共にすると判定されたユーザＵのうち一部のユーザＵの属性を組み合わせることもできる。
【００９８】
なお、選択部５３の処理において、上述した「ユーザＵの属性」を「ユーザＵの行動特性」や「ユーザＵの属性および行動特性」などに置き換えることができる。すなわち、選択部５３は、２以上のユーザＵの行動特性の組み合わせに基づいてコンテンツを選択することができ、また、２以上のユーザＵの属性および行動特性の組み合わせに基づいてコンテンツを選択することができる。
【００９９】
このように、選択部５３は、取得部５２によって取得された属性情報および／または行動特性情報に基づき、行動を共にするとして特定された２以上のユーザＵの属性および／または行動特性の組み合わせに基づいて、コンテンツ記憶部４２に記憶された複数のコンテンツの中から提供するコンテンツを選択することができる。
【０１００】
例えば、選択部５３は、行動を共にすると判定されたユーザＵがユーザＵ１、Ｕ２であり、ユーザＵ１の行動特性が「家電量販店によく行く」であり、ユーザＵ２の行動特性が「家具店によく行く」である場合、家電量販店と家具店とがあるショッピングモールの広告コンテンツを選択することができる。
【０１０１】
［４．３．４．提供部５４］
提供部５４は、行動を共にする２以上のユーザＵのうち少なくとも１以上のユーザＵへ選択部５３によって選択されたコンテンツを提供する。
【０１０２】
例えば、提供部５４は、行動を共にする２以上のユーザＵのうち少なくとも１以上のユーザＵの無線端末２に対し、選択部５３によって選択されたコンテンツまたはコンテンツのリンク情報を通信部３０から送信することができる。
【０１０３】
これにより、無線端末２のユーザＵは、行動を共にする２以上のユーザＵの属性および／または行動特性の組み合わせに応じたコンテンツを無線端末２で取得することができる。なお、無線端末２は、リンク情報を取得すると、かかるリンク情報に基づいて情報提供装置１またはサーバからコンテンツを通信ネットワーク７経由で取得する。
【０１０４】
なお、提供部５４は、行動を共にする２以上のユーザＵすべてに対し選択部５３によって選択されたコンテンツを無線端末２へ送信することができ、これにより、各ユーザＵはそれぞれ所有する無線端末２でコンテンツを確認することができる。
【０１０５】
また、提供部５４は、情報提供装置１の管理者や無線端末２のユーザＵによる設定（以下、利用者設定と記載する）に応じて、行動を共にする２以上のユーザＵのうち、一部のユーザＵの無線端末２へコンテンツを送信することもできる。例えば、提供部５４は、利用者設定に応じて、行動を共にするユーザＵの数が所定数（例えば、２台）を超える場合、所定数（例えば、２台）のユーザＵの無線端末２に対してコンテンツを送信することができる。また、提供部５４は、利用者設定に応じて、行動を共にするユーザＵの総数に対して一定の割合のユーザＵの無線端末２に対してコンテンツを送信することができる。
【０１０６】
行動を共にするユーザＵの数が多い場合にすべてユーザＵにコンテンツが提供されるとユーザＵに不快感を与えてしまうおそれがあるが、上述のように、コンテンツを提供するユーザＵを絞り込むことによって、ユーザＵへ与える不快感を低減することができる。
【０１０７】
図７は、提供部５４から無線端末２に送信され、無線端末２の表示画面に表示されるコンテンツの一例を示す図である。図７に示すコンテンツは、ＡＢＣ映画の予告編の動画コンテンツ、ＡＢＣ映画のクーポンの情報、ＡＢＣ映画を放映中の映画館の情報である。
【０１０８】
例えば、ユーザＵは、無線端末２の操作部１５を操作して領域７０を選択することで、ＡＢＣ映画の予告編の動画コンテンツを再生することができる。また、ユーザＵは、無線端末２の操作部１５を操作して領域７１を選択することで、ＡＢＣ映画のクーポンを取得することができる。なお、提供部５４は、無線端末２の要求に応じてＡＢＣ映画の予告編の動画コンテンツやクーポンを提供する。また、提供部５４は、ＡＢＣ映画の予告編の動画コンテンツが再生された後に、クーポンを提供することもできる。
【０１０９】
また、提供部５４は、無線端末３の端末ＩＤに基づき、行動を共にする２以上のユーザＵを特定した場合、無線端末３に対し、選択部５３によって選択されたコンテンツまたはコンテンツのリンク情報を送信することができる。
【０１１０】
例えば、無線端末３がタクシーの車両に設置されている場合、タクシーに搭乗している２以上のユーザＵに対し、これらのユーザＵの属性および／または行動特性の組み合わせに対応するコンテンツを無線端末２の表示部１４または無線端末３の表示部に表示させることができる。
【０１１１】
［４．３．５．受付部５５］
受付部５５（広告情報取得部の一例）は、通信ネットワーク７を介して１以上の広告主端末６それぞれからの広告要求を受け付ける。
【０１１２】
広告要求には、例えば、広告情報と、広告のターゲットとなるユーザＵの属性を示す情報（以下、ターゲット属性情報と記載する場合がある）が含まれており、受付部５５は、広告要求に含まれる広告コンテンツ（広告情報の一例）とターゲット属性情報とを対応付けてコンテンツ記憶部４２に記憶する。例えば、受付部５５は、広告要求に含まれる広告コンテンツとターゲット属性情報とを対応付けてコンテンツテーブルに設定することができる。なお、ターゲット属性情報は対応属性（図６参照）を示す情報に対応する。なお、広告要求には、広告のターゲットとなるユーザＵの属性に代えてまたは加えてターゲットなるユーザＵの行動特性が含まれてもよい。
【０１１３】
［４．３．６．判定部５６］
判定部５６（広告効果判定部の一例）は、選択部５３によって選択され且つ提供部５４によって提供された広告コンテンツが提供された少なくとも１以上のユーザＵによる広告コンテンツに対する反応に応じて当該広告コンテンツによる広告効果を判定する。
【０１１４】
例えば、判定部５６は、無線端末２の表示画面に図７に示すコンテンツが表示されている状態で、ユーザＵが操作部１５の操作により領域７０を選択してＡＢＣ映画の予告編の動画コンテンツを再生した場合、コンバージョンの発生を判定することができる。
【０１１５】
また、判定部５６は、無線端末２の表示画面に図７に示すコンテンツが表示されている状態で、ユーザＵが操作部１５の操作により領域７１を選択してＡＢＣ映画のクーポンを取得した場合、コンバージョンの発生を判定することができる。
【０１１６】
このように、判定部５６は、提供部５４によって提供された広告コンテンツの広告効果を判定することができる。なお、ＡＢＣ映画の予告編の動画コンテンツを再生したことやＡＢＣ映画のクーポンを取得したことは、例えば、ウェブビーコンなどによって検出することができる。また、判定部５６は、コンバージョンが発生した場合、広告コンテンツに対するコンバージョンの履歴を更新することができる。
【０１１７】
［５．情報提供装置１の処理フロー］
次に、実施形態に係る情報提供装置１による情報提供処理の手順について説明する。図８は、情報提供装置１における情報処理の一例を示すフローチャートである。
【０１１８】
図８に示すように、制御部３２は、通信部３０を介して無線端末２や無線端末３から端末検出情報を取得したか否かを判定する（ステップＳ１０）。端末検出情報を取得したと判定すると（ステップＳ１０；Ｙｅｓ）、制御部３２は、取得した端末検出情報に基づいて、行動を共にする２以上のユーザＵが特定されたか否かを判定する（ステップＳ１１）。
【０１１９】
行動を共にする２以上のユーザＵが特定された場合（ステップＳ１１；Ｙｅｓ）、制御部３２は、特定した２以上のユーザＵの属性および／または行動特性を示す情報を記憶部３１から取得する（ステップＳ１２）。次に、制御部３２は、特定した２以上のユーザＵの属性および／または行動特性の組み合わせに基づいて、コンテンツを選択し（ステップＳ１３）、選択したコンテンツをユーザＵに提供する（ステップＳ１４）。
【０１２０】
ステップＳ１４の処理が終了した場合、ステップＳ１０において端末検出情報を取得していない場合（ステップＳ１０；Ｎｏ）、および、ステップＳ１１において行動を共にする２以上のユーザＵが特定されない場合（ステップＳ１１；Ｎｏ）、処理をステップＳ１５へ移行する。
【０１２１】
ステップＳ１５において、制御部３２は、提供したコンテンツに対してユーザＵがアクションをしたか否かを検出する。例えば、制御部３２は、無線端末２の表示画面に図７に示すコンテンツが表示されている状態で、ユーザＵが無線端末２の操作部１５を操作してＡＢＣ映画の予告編の動画コンテンツを再生したことを示すアクションを検出することができる。
【０１２２】
提供したコンテンツに対してユーザＵがアクションをしたことを検出した場合（ステップＳ１５；Ｙｅｓ）、制御部３２は、アクションが行われたコンテンツに関するコンバージョンの履歴を更新する（ステップＳ１６）。
【０１２３】
［６．変形例］
なお、無線端末２から送信される電波強度の情報は、電波強度の値そのものでなくてもよく、例えば、電波強度の強、中、弱の３段階の情報であってもよい。この場合、無線端末２１、２２のいずれかが受信する無線信号の電波強度が「強」または「中」である場合に、特定部５１は、ユーザＵ１とユーザＵ２とが行動を共にしていると判定することができる。
【０１２４】
上述した実施形態では、情報提供装置１の制御部３２は、行動を共にするとして特定した２以上のユーザＵの属性および／または行動特性の組み合わせに応じたコンテンツを選択し、特定した２以上のユーザＵのうち少なくとも１以上のユーザＵへ提供する例を説明したが、かかる例に限定されない。
【０１２５】
例えば、制御部３２は、行動を共にする２以上のユーザＵを特定部５１によって特定し、特定した２以上のユーザＵの属性および／または行動特性の組み合わせの情報を含むコンテンツ送信要求を提供部５４からコンテンツサーバへ行うこともできる。コンテンツサーバは、コンテンツ送信要求に基づき、無線端末２または無線端末３へコンテンツを送信する。これにより、制御部３２は、行動を共にする２以上のユーザＵの属性および／または行動特性の組み合わせに応じたコンテンツをユーザＵへ提供することができる。
【０１２６】
また、上述した実施形態では、無線端末３を車両に搭載される例を説明したが、無線端末３は、例えば、飲食店、ホテル、美容院・理容院、病院、映画館、複合レジャー施設などの商業空間に設けられることができる。また、無線端末３は、デジタルサイネージとすることもできる。
【０１２７】
また、上述した実施形態では、無線端末２または無線端末３から取得した端末検出情報や無線端末２から取得した位置情報に基づいて、行動を共にする２以上のユーザＵを特定するものとしたが、かかる例に限定されない。例えば、特定部５１は、無線ＬＡＮアクセスポイント４や無線ＷＡＮ基地局５で検出された無線端末２の位置に基づいて、行動を共にする２以上のユーザＵを特定することができる。
【０１２８】
また、特定部５１は、例えば、地磁気データを使った測位技術によってユーザＵの現在位置を特定して行動を共にする２以上のユーザＵを特定することができる。例えば、無線端末２の位置検出部１６に地磁気センサーを設け、かかる地磁気センサーによって取得された地磁気データと位置検出部１６に予め記憶している地磁気データベースとのマッチング処理を行うことによって位置検出部１６は無線端末２の現在位置を特定することができる。特定部５１は、このように特定された無線端末２の現在位置を示す情報を無線端末２から取得し、かかる情報に基づいて、上述したＧＰＳの位置情報の場合と同様に、行動を共にしている２以上のユーザＵを判定することができる。なお、地磁気データベースを情報提供装置１の記憶部３１に配置し、情報提供装置１の特定部５１が無線端末２から地磁気データを取得して地磁気データベースに基づいて無線端末２の現在位置を特定することもできる。
【０１２９】
また、上述した実施形態では、無線端末３は、スマートフォンやタブレットなどの携帯型無線端末である例を説明したが、無線端末３に代えて、近距離通信での無線信号を周期的に送信する機能のみを有する無線装置であってもよい。
【０１３０】
また、上述した実施形態では、ユーザＵの属性情報を情報提供装置１のユーザ情報記憶部４１から取得したが、無線端末２にユーザＵの属性情報を記憶し、情報提供装置１は無線端末２から属性情報を取得することもできる。
【０１３１】
また、上述した実施形態では、行動を共にする２以上のユーザＵの属性の組み合わせに応じた情報をユーザＵへ提供するものとして説明したが、制御部３２は、行動を共にする２以上のユーザＵの属性の組み合わせに応じた情報に加え、さらに、行動を共にする２以上のユーザＵに共通する属性に応じた情報をユーザＵへ提供してもよい。
【０１３２】
また、制御部３２は、行動を共にする２以上のユーザＵの属性の組み合わせのうち、嗜好の度合いが高い属性の組み合わせを優先して選択することができる。例えば、制御部３２は、行動を共にする２以上のユーザＵの属性の嗜好度合いを乗算し、かかる乗算結果が相対的に高い属性の組み合わせを優先して選択することができる。
【０１３３】
また、制御部３２は、２以上のユーザＵが継続して行動を共にしている場合、所定周期で異なる属性の組み合わせに応じたコンテンツをユーザＵへ提供することもできる。また、制御部３２は、行動を共にするユーザＵが増加していく場合、ユーザＵが１以上増加するごとに、異なる属性の組み合わせに応じたコンテンツをユーザＵへ提供することができる。
【０１３４】
［７．ハードウェア構成］
なお、実施形態における情報提供装置１や無線端末２、３は、例えば図９に示すような構成のコンピュータ８０によって実現される。図９は、情報提供装置１や無線端末２、３の機能を実現するコンピュータの一例を示すハードウェア構成図である。コンピュータ８０は、ＣＰＵ（Central  Processing  Unit）８１、ＲＡＭ（Random  Access  Memory）８２、ＲＯＭ（Read  Only  Memory）８３、ＨＤＤ（Hard  Disk  Drive）８４、通信インターフェイス（Ｉ／Ｆ）８５、入出力インターフェイス（Ｉ／Ｆ）８６、およびメディアインターフェイス（Ｉ／Ｆ）８７を備える。
【０１３５】
ＣＰＵ８１は、ＲＯＭ８３またはＨＤＤ８４に格納されたプログラムに基づいて動作し、各部の制御を行う。ＲＯＭ８３は、コンピュータ８０の起動時にＣＰＵ８１によって実行されるブートプログラムや、コンピュータ８０のハードウェアに依存するプログラム等を格納する。
【０１３６】
ＨＤＤ８４は、ＣＰＵ８１によって実行されるプログラムおよび当該プログラムによって使用されるデータ等を格納する。通信インターフェイス８５は、通信部１１または通信部３０に対応し、通信ネットワーク７を介して他の機器からデータを受信してＣＰＵ８１へ送り、ＣＰＵ８１が生成したデータを、通信ネットワーク７を介して他の機器へ送信する。
【０１３７】
ＣＰＵ８１は、入出力インターフェイス８６を介して、ディスプレイやプリンタ等の出力装置、および、キーボードやマウス等の入力装置を制御する。ＣＰＵ８１は、入出力インターフェイス８６を介して、入力装置からデータを取得する。また、ＣＰＵ８１は、生成したデータを、入出力インターフェイス８６を介して出力装置へ出力する。
【０１３８】
メディアインターフェイス８７は、記録媒体８８に格納されたプログラムまたはデータを読み取り、ＲＡＭ８２を介してＣＰＵ８１に提供する。ＣＰＵ８１は、当該プログラムを、メディアインターフェイス８７を介して記録媒体８８からＲＡＭ８２上にロードし、ロードしたプログラムを実行する。記録媒体８８は、例えばＤＶＤ（Digital  Versatile  Disc）、ＰＤ（Phase  change  rewritable  Disk）等の光学記録媒体、ＭＯ（Magneto-Optical  disk）等の光磁気記録媒体、テープ媒体、磁気記録媒体、または半導体メモリ等である。
【０１３９】
コンピュータ８０が情報提供装置１として機能する場合、コンピュータ８０のＣＰＵ８１は、ＲＡＭ８２上にロードされたプログラムを実行することにより、特定部５１、取得部５２、選択部５３、提供部５４、受付部５５および判定部５６の各機能を実現する。また、ＨＤＤ８４は、記憶部３１の機能を実現し、ユーザ情報テーブルやコンテンツテーブルなどが格納される。
【０１４０】
また、コンピュータ８０が無線端末２、３として機能する場合、コンピュータ８０のＣＰＵ８１は、ＲＡＭ８２上にロードされたプログラムを実行することにより表示制御部２１および情報処理部２２の各機能を実現する。
【０１４１】
コンピュータ８０のＣＰＵ８１は、これらのプログラムを、記録媒体８８から読み取って実行するが、他の例として、他の装置から、通信ネットワーク７を介してこれらのプログラムを取得してもよい。
【０１４２】
［８．効果］
実施形態にかかる情報提供システム１００の情報提供装置１は、特定部５１と提供部５４とを備える。特定部５１は、行動を共にする２以上のユーザＵを特定する。提供部５４は、特定部５１によって特定された２以上のユーザＵの属性および／または行動特性の組み合わせに応じたコンテンツ（情報の一例）を、特定部５１によって特定された２以上のユーザＵのうち少なくとも１以上のユーザＵへ提供する。これにより、例えば、行動を共にする２以上のユーザＵに対して共に一部に興味関心を含むコンテンツを提供することができ、行動を共にする２以上のユーザＵに対して効果的にコンテンツを提供することができる。
【０１４３】
また、情報提供装置１は、取得部５２と、選択部５３とを備える。取得部５２は、特定部５１によって特定された２以上のユーザＵの属性および／または行動特性を示す情報を取得する。選択部５３は、行動を共にするとして特定された２以上のユーザＵの属性および／または行動特性の組み合わせに基づいて、複数のコンテンツの中からコンテンツを選択する。提供部５４は、選択部５３によって選択されたコンテンツを、特定部５１によって特定された２以上のユーザＵのうち少なくとも１以上のユーザＵへ提供する。これにより、行動を共にする２以上のユーザＵの属性および／または行動特性の組み合わせのうち適切な組み合わせに応じたコンテンツを適切に選択してユーザＵへ提供することができる。
【０１４４】
また、選択部５３は、特定部５１によって特定された２以上のユーザＵの属性および／または行動特性の組み合わせのうち、親和性の高い属性および／または行動特性の組み合わせに基づいてコンテンツを選択する。これにより、行動を共にする２以上のユーザＵの属性および／または行動特性の組み合わせのうち不適切な組み合わせを除く組み合わせに応じたコンテンツを適切に選択してユーザＵへ提供することができ、行動を共にする２以上のユーザＵに対してより効果的なコンテンツを提供することができる。
【０１４５】
また、選択部５３は、特定部５１によって特定された２以上のユーザＵの属性および／または行動特性の組み合わせのうち、排他的な関係にある属性および／または行動特性の組み合わせを除く組み合わせに基づいて、特定部５１によって特定された２以上のユーザＵのうち少なくとも１以上のユーザＵへ提供するコンテンツを選択する。これにより、排他的な関係にある属性および／または行動特性の組み合わせを除く組み合わせに応じたコンテンツを提供することができるため、例えば、ユーザＵに対して訴求性が低いコンテンツを除外することができ、ユーザＵに対してより効果的なコンテンツを提供することができる。
【０１４６】
また、取得部５２は、特定部５１によって特定された２以上のユーザＵの属性を示す情報として、デモグラフィック属性およびサイコグラフィック属性のうち少なくとも１以上の属性を示す情報を取得する。また、選択部５３は、特定部５１によって特定された２以上のユーザＵの属性の組み合わせとしてデモグラフィック属性およびサイコグラフィック属性のうち少なくとも１以上の属性の組み合わせに基づいて、特定部５１によって特定された２以上のユーザＵのうち少なくとも１以上のユーザＵへ提供するコンテンツを選択する。これにより、例えば、サイコグラフィック属性を用いることによって、２以上のユーザＵの嗜好の組み合わせに応じたコンテンツを提供することができる。また、デモグラフィック属性を用いることによって、例えば、ユーザＵの出身地や職業の組み合わせに応じたコンテンツを提供することができる。
【０１４７】
また、特定部５１は、複数のユーザＵがそれぞれ有する無線端末２で受信される無線信号に基づいて、複数のユーザＵの中から行動を共にする２以上のユーザＵを特定する。これにより、行動を共にするユーザＵを容易に判定することができる。
【０１４８】
また、特定部５１は、２以上のユーザＵがそれぞれ有する無線端末２間で無線信号が所定時間以上送受信される場合に、２以上のユーザＵが行動を共にしていると判定する。これにより、例えば、別途設備を設けることなく、無線端末２を所持しているユーザＵの中から行動を共にするユーザＵを容易に判定することができる。
【０１４９】
また、特定部５１は、２以上のユーザＵがそれぞれ有する無線端末２が同一の無線端末３（無線通信手段の一例）からの無線信号を所定時間以上受信している場合に、２以上のユーザＵが行動を共にしていると判定する。これにより、例えば、無線端末３を設置することによって、無線端末２を所持しているユーザＵの中から行動を共にするユーザＵを容易に判定することができる。
【０１５０】
また、特定部５１は、ユーザＵの無線端末２によって検出された地磁気データに基づいて特定されたユーザＵの位置から、行動を共にする２以上のユーザを特定する。これにより、例えば、ＧＰＳによる位置検出が難しいビル内や地下内において精度よくユーザＵの位置を検出することができる。
【０１５１】
また、情報提供装置１は、受付部５５（広告情報取得部の一例）と、判定部５６（広告効果判定部の一例）とを備える。受付部５５は、複数の広告コンテンツを１以上の広告主から取得する。判定部５６は、選択部５３によって広告コンテンツが選択され、広告コンテンツが提供部５４によって少なくとも１以上のユーザＵに提供された場合に、広告コンテンツが提供された少なくとも１以上のユーザＵによる広告コンテンツに対する反応に応じて広告コンテンツの広告効果を判定する。これにより、行動を共にする２以上のユーザＵの属性および／または行動特性の組み合わせに応じた広告コンテンツの広告効果を適切に把握することができる。
【０１５２】
［９．その他］
上述した情報提供装置１は、それぞれ複数のサーバコンピュータで実現してもよく、また、機能によっては外部のプラットフォーム等をＡＰＩ（Application  Programming  Interface）やネットワークコンピューティングなどで呼び出して実現するなど、構成は柔軟に変更できる。
【０１５３】
また、図１、図３および図４等に示す矢印は、データや制御などの流れについて補助的に示すもので、他の流れを否定するものでも、方向の限定を意味するものでもない。また、図５および図６に示すＩＤの情報は、理解を容易にするために付した情報であり、これらの図に示す情報に限定されない。
【０１５４】
さらなる効果や変形例は、当業者によって容易に導き出すことができる。このため、本発明のより広範な態様は、以上のように表しかつ記述した特定の詳細および代表的な実施形態に限定されるものではない。したがって、添付の特許請求の範囲およびその均等物によって定義される総括的な発明の概念の精神または範囲から逸脱することなく、様々な変更が可能である。
【符号の説明】
【０１５５】
１  情報提供装置
２  無線端末
３  無線端末（無線通信手段の一例）
３０  通信部
３１  記憶部
３２  制御部
４１  ユーザ情報記憶部
４２  コンテンツ記憶部
５１  特定部
５２  取得部
５３  選択部
５４  提供部
５５  受付部（広告情報取得部の一例）
５６  判定部（広告効果判定部の一例）
【要約】      （修正有）【課題】２以上のユーザの属性及び／又は行動特性の組合せに応じた情報を、２以上のユーザのうち少なくとも１以上のユーザに、選択して配信する。【解決手段】情報提供装置１は、特定部と、提供部とを備える。特定部は、無線端末２１、２２、２３・・・２ｎから送信される端末検出情報に基づいて、行動を共にする２以上のユーザＵ１、Ｕ２、Ｕ３・・・Ｕｎを特定する。提供部は、特定部によって特定された２以上のユーザの属性及び／又は行動特性の組み合わせに応じたコンテンツを無線端末へ送信する。これにより、ユーザはそれぞれ所有する無線端末でコンテンツを確認することができる。【選択図】図１【図１】
0005996749.tif 000002
【図２】
0005996749.tif 000003
【図３】
0005996749.tif 000004
【図４】
0005996749.tif 000005
【図５】
0005996749.tif 000006
【図６】
0005996749.tif 000007
【図７】
0005996749.tif 000008
【図８】
0005996749.tif 000009
【図９】
0005996749.tif 000010